(57)【要約】【課題】      食肉の供給がし易く、送込み量が安定し、食肉が前倒れして脱落する恐れがなく、スライスされた肉がうまく整列し、スライサーと取出しコンベヤとのつなぎ目で食肉塊のまま脱落することがない斜め切リスライサーを提供する。【解決手段】  食肉送出しコンベヤ２を具備した肉載せ台１が斜め下方に傾斜した仮想切断面Ｂに沿って一定区間を往復移動可能に支持され、肉載せ台の送出し側先端部に食肉Ｍの送出し口４ｃが開口され、送出し口４ｃには送出しコンベヤの巾寸法の全巾に亘る受刃部４ａを有する受刃体４が固着され、送出される食肉の先端部をスライスする刃物７が設けられ、当て板６が送出し口４ｃに対して反送出しコンベヤ側位置に設けられ、切出し口から切出されるスライス肉片を展開状態で受取り搬出する取出しコンベヤ９が設けられたスライサーであり、載置面と送出し口４ｃの先端面とがなす角度αが鈍角となる。【選択図】    図１
2008161958.tif 000002
【特許請求の範囲】
【請求項１】
切断箇所に向け斜め下方に傾斜した仮想切断面を設定し、肉載せ台が機台に装置されたクランク機構によって前記切断面に沿って一定区間を往復移動するよう機台に支持され、該肉載せ台が載置面上に載置された食肉を送出す送出しコンベヤを具備し、該肉載せ台の食肉の送出し側先端部には食肉の送出し口がその先端面が前記切断面に沿うように開口されており、該送出し口には少なくとも前記送出しコンベヤの巾寸法の全巾に亘る受刃部を有する受刃体が固着されており、前記送出しコンベヤにより送出される食肉の先端部を上から斜め下向きにスライスする刃物が設けられ、前記食肉の先端部を受け止める当て板が前記送出し口に対して反送出しコンベヤ側位置にスライス厚みに対応するよう送出し方向へ移動可能に設けられ、前記刃物の刃先と前記当て板の上端面との間に形成されたスライス肉の切出し口から切出されるスライス肉片を展開状態で受取り機外に搬出する取出しコンベヤが設けられたスライサーであって、前記載置面と前記送出し口の先端面とがなす角度αが鈍角となるよう構成したことを特徴とする斜め切リスライサー。
【請求項２】
切断箇所に向け斜め下方に傾斜した円弧状仮想切断面を設定し、肉載せ台が機台に設けられた支持軸に回動自在に支持されるとともに機台に装置されたクランク機構によって前記切断面に沿って一定区間を往復揺動するよう機台に支持され、該肉載せ台が載置面上に載置された食肉を送出す送出しコンベヤを具備し、該肉載せ台の食肉の送出し側先端部には食肉の送出し口がその先端面が前記切断面に沿うように開口されており、該送出し口には少なくとも前記送出しコンベヤの巾寸法の全巾に亘る受刃部を有する受刃体が固着されており、前記送出しコンベヤにより送出される食肉の先端部を上から斜め下向きにスライスする刃物としてバンドナイフが設けられ、前記食肉の先端部を受け止める当て板が前記送出し口に対して反送出しコンベヤ側位置にスライス厚みに対応するよう送出し方向へ移動可能に設けられ、前記刃物の刃先と前記当て板の上端面との間に形成されたスライス肉の切出し口から切出されるスライス肉片を展開状態で受取り機外に搬出する取出しコンベヤが設けられたスライサーであって、前記載置面と前記送出し口の円弧状の先端面における弦とがなす角度αが鈍角となるよう構成したことを特徴とする斜め切リスライサー。
【請求項３】
前記送出しコンベヤの食肉載置面が、略水平状態乃至は送出し方向に向けて前下がりに傾斜した状態とされたことを特徴とする請求項１または２に記載の斜め切リスライサー。
【請求項４】
前記送出しコンベヤを送出しコンベヤの送出し終端部付近を中心として上方に向けて回動させて、食肉の切断方向の長さが短くなるよう調節可能としたことを特徴とする請求項１または２に記載の斜め切リスライサー。
【請求項５】
前記角度αを１００度以上の鈍角としたことを特徴とする請求項１〜４の何れか１項に記載の斜め切リスライサー。
【発明の詳細な説明】
【技術分野】
【０００１】
本発明は斜め切リスライサーに関する。より詳しくは、本発明は食肉を、焼肉用などとして、斜めにスライスすることができる斜め切リスライサーに関する。
【背景技術】
【０００２】
特許文献１（特開平６−３２０４９０号公報）には、肉載せ台をスライス刃体の刃面に対して前後および左右に所要の傾斜角に設定し、肉載せ台をスライス刃体の刃面に対して前後進させてスライスを行なうようにしたスライス刃体に対して側方から肉載せ台を前後進させ、肉載せ台に載置した肉を所要厚さにスライスすることが開示されている。
【０００３】
また、特許文献２（特開２０００−３４３４８９）には、機台の一端に立設されて回転する刃物に向けて、下部コンベヤと共同して肉箱内の材料を送出すようにした食肉スライサーに、肉箱の底部に敷設された下部コンベヤと共同して材料を上から押さえつつ送り出すようにした上押さえ装置を設けることが開示されている。
【０００４】
更に、焼き肉用の肉をスライスして配列する装置として、なた刃を用いた公知の形状のスライサーの出口部にスライサーで切出されたスライス肉片を受取り機外に搬出する取出しコンベヤを設けた装置が市販されている。
【特許文献１】特開平６−３２０４９０号公報
【特許文献２】特開２０００−３４３４８９公報
【発明の開示】
【発明が解決しようとする課題】
【０００５】
上述した特許文献１に開示された装置では、肉載せ台を上方に傾斜させることで斜め切りする。このため、肉載せ台の傾斜角が大きくなり、肉載せ台へ食肉が供給し難い。また、肉載せ台に肉送りコンベヤがないので食肉の送込み量が安定しない。さらには、載置された食肉が前倒れして脱落する恐れがある。
【０００６】
また、特許文献１に開示された装置には、取出しコンベヤがない。しかも、特許文献１に開示された装置では、切り離されたスライス肉が切断側から捲れた（まくれた）状態で出てくる。このため、仮に、スライス肉をコンベヤで受取るようにしても、スライスされた肉が捲れ（まくれ）ているので、うまく整列しない。
【０００７】
更に、特許文献１に開示された装置は、食肉を載置した肉載せ台がスライサー機台上で左右方向に移動するので、スライサーの近傍の作業員にとり危険である。
【０００８】
上述した特許文献２に開示された装置は、前述した特許文献１に開示された装置と同様に肉載せ台の傾斜角が大きいので肉が供給し難い。また、この特許文献２に開示された装置では、載置された食肉が前倒れして脱落することを防止するために、食肉の長さ方向全面に亘って上押え装置が必要である。
【０００９】
上述した市販されているなた刃を用いた装置では、構造上、切断箇所に当て板が装着できない。このため、スライサーから送出される食肉が、スライサーと取出しコンベヤとのつなぎ目で上下の送り込みベルトコンベヤで挟持できなくなると、食肉塊のまま脱落してスライサーでスライスされる肉の歩留まりが悪くなる。
【００１０】
本発明は、上述したような従来技術に付随する問題点を解決して、肉載せ台への食肉の供給がし易く、食肉の送込み量が安定し、載置された食肉が前倒れして脱落する恐れがなく、スライスされた肉がまくれずにうまく整列し、更に、スライサーと取出しコンベヤとのつなぎ目で食肉塊のまま脱落することがない斜め切リスライサーを提供することを目的とする。
【課題を解決するための手段】
【００１１】
本発明においては、上記の目的を、切断箇所に向け斜め下方に傾斜した仮想切断面を設定し、肉載せ台が機台に装置されたクランク機構によって前記切断面に沿って一定区間を往復移動するよう機台に支持され、該肉載せ台が載置面上に載置された食肉を送出す送出しコンベヤを具備し、該肉載せ台の食肉の送出し側先端部には食肉の送出し口がその先端面が前記切断面に沿うように開口されており、該送出し口には少なくとも前記送出しコンベヤの巾寸法の全巾に亘る受刃部を有する受刃体が固着されており、前記送出しコンベヤにより送出される食肉の先端部を上から斜め下向きにスライスする刃物が設けられ、前記食肉の先端部を受け止める当て板が前記送出し口に対して反送出しコンベヤ側位置にスライス厚みに対応するよう送出し方向へ移動可能に設けられ、前記刃物の刃先と前記当て板の上端面との間に形成されたスライス肉の切出し口から切出されるスライス肉片を展開状態で受取り機外に搬出する取出しコンベヤが設けられたスライサーであって、前記載置面と前記送出し口の先端面とがなす角度αが鈍角となるよう構成したことを特徴とする斜め切リスライサーにより、達成する。
【００１２】
より好ましくは、本発明は、切断箇所に向け斜め下方に傾斜した円弧状仮想切断面を設定し、肉載せ台が機台に設けられた支持軸に回動自在に支持されるとともに機台に装置されたクランク機構によって前記切断面に沿って一定区間を往復揺動するよう機台に支持され、該肉載せ台が載置面上に載置された食肉を送出す送出しコンベヤを具備し、該肉載せ台の食肉の送出し側先端部には食肉の送出し口がその先端面が前記切断面に沿うように開口されており、該送出し口には少なくとも前記送出しコンベヤの巾寸法の全巾に亘る受刃部を有する受刃体が固着されており、前記送出しコンベヤにより送出される食肉の先端部を上から斜め下向きにスライスする刃物としてバンドナイフが設けられ、前記食肉の先端部を受け止める当て板が前記送出し口に対して反送出しコンベヤ側位置にスライス厚みに対応するよう送出し方向へ移動可能に設けられ、前記刃物の刃先と前記当て板の上端面との間に形成されたスライス肉の切出し口から切出されるスライス肉片を展開状態で受取り機外に搬出する取出しコンベヤが設けられたスライサーであって、前記載置面と前記送出し口の円弧状の先端面における弦とがなす角度αが鈍角となるよう構成したことを特徴とする斜め切リスライサーとする。
【００１３】
本発明においては、送出しコンベヤの食肉載置面は、略水平状態乃至は送出し方向に向けて前下がりに傾斜した状態とすることが好ましい。
【００１４】
また、本発明の送出しコンベヤを送出しコンベヤの送出し終端部付近を中心として上方に向けて回動させて、食肉の切断方向の長さが短くなるよう調節可能とすることが好ましい。
【００１５】
本発明の鈍角とする角度αは１００度以上、より好ましくは１００〜１７０度の鈍角とすることが好ましい。
【発明の効果】
【００１６】
本発明においては、切断箇所に向け斜め下方に傾斜した切断面に沿わせて肉載せ台を往復移動させ肉載せ台が上昇時に食肉を斜め切りする。このため、スライス肉片が展開された状態で勢い良く切出され、取出しコンベヤ上に整列する。
【００１７】
本発明においては、送出しコンベヤの食肉載置面と、送出し口先端面または送出し口の円弧状の先端面における弦と、のがなす角度αを鈍角とする。これにより、送出される食肉の先端を斜め切りすることができる。この角度αは、鈍角の範囲内で所望する切断方向の長さに見合う角度に自由に設定すればよい。しかも、斜め切りされたスライス肉片ｍは、後述する図１に示されるように、取出しコンベヤ９の上面に排出されたときに、先端部における上縁の稜角が鈍角となるので、逆に鋭角側が上になるものに比して見栄えが良い。なお、図３においても同様である。
【００１８】
本発明においては、肉載せ台が機台に設けられた支持軸に回動自在に支持されるとともに機台に装置されたクランク機構によって前記切断面に沿って一定区間を往復揺動するよう機台に支持されていると、肉載せ台を揺動させるので動きがスムーズで精度がよい。
【００１９】
加えて、スライスする刃物としてバンドナイフを用いることにより、受刃体とバンドナイフの刃先の隙間が最小に維持できる。このため、生肉やスジの多い食肉でも、確実に切り離されて、取り出しコンベヤ上にきちんと整列させて取り出すことができる。
【００２０】
本発明の送出しコンベヤの食肉載置面を、略水平状態乃至は送出し方向に向けて前下がりに傾斜させた状態とすると、食肉の供給が容易で監視が行き届き、また、食肉の送出しが安定する。更に、切断面が切断箇所に向け斜め下方に傾斜しているので、切出されるスライス肉片が切り出し口の下方に設けた取出しコンベヤ上面にスムーズに引き継がれる。
【００２１】
本発明の送出しコンベヤを終端部付近を中心として上方に回動させると、食肉の切断方向の長さが短くなるよう調節可能である。
【００２２】
しかも、本発明においては、当て板があるので送出される食肉のつなぎ目においても食肉塊の落下が無く全部スライスできるので歩留まりが良い。
【発明を実施するための最良の形態】
【００２３】
以下、本発明の実施例を図示した添付図面を参照して、本発明を詳細に説明する。図１は、本発明の第一実施例の概略構成を示す側面図であり、図２は、図１に示す第一実施例における受刃体の斜視図である。図３は、本発明の第二実施例の概略構成を示す側面図であり、図４は、図３の部分拡大図である。
【実施例１】
【００２４】
図１において、食肉Ｍをスライスしてスライス肉ｍとする切断箇所に向け斜め下方に傾斜（図１においては右上から左下へ延在）した仮想切断面Ｂを設定している。
【００２５】
略水平状態とされた肉載せ台１の食肉載置面に送出しコンベヤ２が設けられている。すなわち、肉載せ台１の送出し始端部と終端部とのそれぞれにローラー３、３が軸支され、ローラー３、３に送出しコンベヤ２が掛け回されている。いずれか一方のローラー３にはサーボモーター（図示せず）が連結されており、送出しコンベヤ２は間欠的に駆動され、送出しコンベヤ２の載置面上に載置された食肉Ｍを間欠的に切断部に向けて送出す。
【００２６】
なお、この実施例の送出しコンベヤ２は、図１の仮想線で表示したように、送出し終端に位置するローラー３（図１の右側のローラー３）の軸心付近を中心として矢印Ｄに示すように上方に向けて揺動させ適宜固定して使用することも可能である。このように、送出しコンベヤの食肉載置面は、略水平状態乃至は送出し方向に向けて前下がりに傾斜した状態とされる。
【００２７】
肉載せ台１の送出し方向（図１の右方向）先端部には、食肉Ｍの送出し口４ｃがその先端面が切断面Ｂに沿うように開口されており、送出し口４ｃには少なくとも送出しコンベヤ２の巾寸法の全巾に亘る受刃部４ｃを有する受刃体４が固着されている。
【００２８】
第一実施例においては、受刃体４は、図２に示すように、食肉Ｍの通過窓を囲う額縁状に形成され、刃物が食肉Ｍを切削していくときの切り終り側（バンドナイフの走行方向側）、即ち、食肉Ｍの押し付けられる側（図２における矢印Ａ方向側）に位置する縁部４ｂにも受刃部４ａが延設されており、食肉Ｍの切終り時における受刃となり、柔らかくスジの多い食肉Ｍでも確実に切り離すようにしている。なお、受刃体４は、必ずしも額縁状でなくともよく、下側縁のみでもよい。しかし、受刃体４に受刃部を具備した切り終わり側縁４ｂも形成されていればなおよい。
【００２９】
図１の符号５は、公知の構造の食肉Ｍの上押えを示す。なお、詳細は図示しないが、上押え５は食肉Ｍの高さ（切断方向の寸法）に応じて調整できるように構成されている。また、送出しコンベヤ２が駆動されて食肉Ｍが送出される際には、この上押え５は一時的に食肉Ｍの上面から浮き上がって押さえ状態を解除できるようにすることが望ましい。この上押え５は公知のように送出し機能を有したローラーやコンベヤなどで構成して常時食肉の上面を押圧するようにしてもよい。
【００３０】
このように構成された肉載せ台１は、例えば切断面Ｂに沿う案内溝などからなる適宜なガイド機構（図示せず）に誘導支持されて、更に、斜め下方に向けて傾斜した切断面Ｂに沿って、所定の区間を、公知の構造のクランク機構により上下に往復直線移動（矢印Ｃ）可能に構成されている。
【００３１】
この際、肉載せ台１の送出し方向先端面（送出し口４ｃの切断面Ｂとの対向面）は切断面Ｂに沿わせるとともに、送出しコンベヤ２の食肉載置面である上面と送出し口４ｃの先端面とがなす角度αを鈍角とすることで食肉Ｍの先端を斜め切りする。この角度αは所望する斜め切りの程度（スライスされた肉片ｍの切断方向の寸法）に応じて決められるが通常１００度から１７０度の範囲内の鈍角に設定される。
【００３２】
肉載せ台１が往復移動の始端位置（図１の状態）にあるときに、送出し口４ｃに対して反送出しコンベヤ側位置に当て板６が設けられ、食肉の先端部を受け止めるようにしている。当て板６は、例えば調整ネジなどの公知の構造により、送出しコンベヤ２の送出し方向に移動可能として、スライス肉ｍのスライス厚みに対応するようにしている。
【００３３】
また、この当て板６は、図１に示すように上押え５が食肉Ｍの先端付近を上部から押圧するときに、食肉Ｍの鋭角状の先端部を受け止め垂れ下がりを防止するので、スライス厚みが安定する。
【００３４】
また、図１における送出し口４ｃの上端部付近の切断面Ｂ上に刃物の刃先７を位置させて、刃物の刃先７と当て板６の上縁面との間にスライス肉片ｍの切り出し口を形成する。
【００３５】
この実施例では、公知のように、溝付のガイド板８が機台（図示せず）に取り付けられ、バンドナイフ７は刃先を残してガイド板８の溝内に嵌め込んだ状態で案内される。また、機台の左右には、１対のプーリー（図示せず）が備えられ、いずれか一方のプーリーに駆動用モーター（図示せず）が連結され、これらのプーリーに巻回されたバンドナイフ７が駆動用モーターにより高速回転される。本実施例においては、刃先を鋭利に刃立てした無端帯状のバンドナイフ７を切断面Ｂに対して所定の逃げ角を付与して装備している。このバンドナイフ７の刃先は少なくとも切終り部において受刃部４ａに軽く接触させることが望ましい。
【００３６】
なお、本実施例においては、刃物はバンドナイフに限定されず、よく知られる単一の丸刃などであってもよい。
【００３７】
スライス肉ｍの切出し口付近には、取出しコンベヤ９の始端部が配置されていて、切出されるスライス肉片ｍを取出しコンベヤ９上に展開状態で受け止めて、機外に搬出する。切断面Ｂが切断箇所に向け斜め下方に傾斜しているので、切出されるスライス肉片ｍが切り出し口の下方に設けた取出しコンベヤ９上面にスムーズに引き継がれる。斜め切りされたスライス肉片ｍは、取出しコンベヤ９の上面に排出されたときに、先端部における上縁の稜角が鈍角となる。このため、スライス肉片ｍは逆に鋭角側が上になるものに比して見栄えが良い。
【実施例２】
【００３８】
図３を参照して、本発明の実施例２を説明する。前述した実施例１と同様に、肉載せ台１の食肉載置面に送出しコンベヤ２が設けられている。すなわち、肉載せ台１の送出し始端部と終端部とのそれぞれにローラー３、３が軸支され、ローラー３、３に送出しコンベヤ２が掛け回されている。いずれか一方のローラー３にはサーボモーター（図示せず）が連結されており、送出しコンベヤ２は間欠的に駆動され、送出しコンベヤ２の載置面上に載置された食肉Ｍを間欠的に切断部に向けて送出す。
【００３９】
実施例においては、送出しコンベヤ２の食肉載置面は、図３の仮想線で示される揺動終端部位置において、略水平状態とされる。
【００４０】
なお、送出しコンベヤ２は、図３の仮想線で示したように、送出し終端に位置するローラー３（図１の右側のローラー３）の軸心付近を中心として矢印Ｄに示すように上方に向けて揺動させ適宜固定して使用することも可能である。このように、送出しコンベヤの食肉載置面は、略水平状態乃至は送出し方向に向けて前下がりに傾斜した状態とされる。
【００４１】
この実施例２の肉載せ台１は、図３に示すように、食肉Ｍの載置面の上方に位置した支持軸１０の軸心を中心として揺動可能に支承されるとともにクランク機構（図示せず）に連結され、一定区間を揺動移動（矢印Ｅ方向）する構成である。したがって、本実施例では、切断面Ｂは食肉Ｍの切断箇所に向け斜め下方に円弧状に傾斜する（図３においては右上から左下へ延在）。
【００４２】
本実施例においても、前述の実施例と同様に、送出し方向（図３の右方向）先端部には、食肉Ｍの送出し口４ｃがその先端面が切断面Ｂに沿うように開口されており、送出し口４ｃには少なくとも送出しコンベヤ２の巾寸法の全巾に亘る受刃部４ｃを有する受刃体４が固着されている。
【００４３】
この実施例においても、受刃体４は、送出し口４ｃを囲う額縁状に形成され、刃物が食肉Ｍを切削していくときの切り終り側（バンドナイフの走行方向側）、即ち、食肉Ｍの押し付けられる側に位置する縁部４ｂにも受刃部４ａが延設されており、食肉Ｍの切終り時における受刃となり、柔らかくスジの多い食肉Ｍでも確実に切り離すようにしている。なお、受刃体４は、必ずしも額縁状でなくともよく、下側縁のみでもよい。しかし、受刃体４に受刃部を具備した切り終わり側縁４ｂも形成されていればなおよい。
【００４４】
また、本実施例においても、肉載せ台１が往復移動の始端位置（図１の状態）にあるときに、送出し口４ｃに対して反送出しコンベヤ側位置に当て板６が設けられ、食肉の先端部を受け止めるようにしている。当て板６の少なくとも送出しコンベヤ側も、図３および図４に示すように、円弧状となる。当て板６は、公知の構造により、送出しコンベヤ２の送出し方向に移動可能として、スライス肉ｍのスライス厚みに対応するようにしている。
【００４５】
送出し口４ｃの円弧状の先端面における弦は、送出し口４ｃの円弧状の先端面における食肉Ｍの通過部分の上下２点（図４における黒丸点）間を結ぶ直線である。したがって、送出しコンベヤ２の食肉載置面（送出しコンベヤ２の表面）と送出し口４ｃの円弧状の先端面における弦とのなす角度αは、図４に示す通りの角度となる。
【００４６】
肉載せ台１の送出し方向先端面（送出し口４ｃの切断面Ｂとの対向面）は切断面Ｂに沿わせるとともに、送出しコンベヤ２の食肉載置面である上面と送出し口４ｃの先端面における弦とがなす角度αを鈍角とすることで食肉Ｍの先端を斜め切りする。この角度αは所望する斜め切りの程度（スライスされた肉片ｍの切断方向の寸法）に応じて決められるが通常１００度から１７０度の範囲内の鈍角に設定される。
【００４７】
また、図３における送出し口４ｃの上端部付近の切断面Ｂ上に刃物の刃先７を位置させて、刃物の刃先７と当て板６の上縁面との間にスライス肉片ｍの切り出し口を形成する。
【００４８】
公知のように、溝付のガイド板８が機台（図示せず）に取り付けられ、バンドナイフ７はバンドナイフ７の刃先を残してガイド板８の溝内に嵌め込んだ状態で案内される。また、機台の左右には、１対のプーリー（図示せず）が備えられ、いずれか一方のプーリーに駆動用モーター（図示せず）が連結され、これらのプーリーに巻回されたバンドナイフ７が駆動用モーターにより高速回転される。本実施例においては、刃先を鋭利に刃立てした無端帯状のバンドナイフ７を切断面Ｂに対して所定の逃げ角を付与して装備している。このバンドナイフ７の刃先は少なくとも切終り部において受刃部４ａに軽く接触させることが望ましい。
【００４９】
スライス肉ｍの切出し口付近には、取出しコンベヤ９の始端部が配置されていて、切出されるスライス肉片ｍを取出しコンベヤ９上に展開状態で受け止めて、機外に搬出する。
切断面Ｂが切断箇所に向け斜め下方に傾斜しているので、切出されるスライス肉片ｍが切り出し口の下方に設けた取出しコンベヤ９上面にスムーズに引き継がれる。斜め切りされたスライス肉片ｍは、取出しコンベヤ９の上面に排出されたときに、先端部における上縁の稜角が鈍角となる。このため、スライス肉片ｍは逆に鋭角側が上になるものに比して見栄えが良い。
【００５０】
第二実施例のその他の構成は第一実施例に準じている。
【図面の簡単な説明】
【００５１】
【図１】本発明の第一実施例の概略構成を示す側面図である。
【図２】図１に示す第一実施例における受刃体の斜視図である。
【図３】本発明の第二実施例の概略構成を示す側面図である。
【図４】図３の部分拡大図である。
【符号の説明】
【００５２】
１  肉載せ台
２  送出しコンベヤ
３  ローラー
４  受刃体
４ａ  受刃部
４ｂ  縁部
４ｃ  送出し口
５  上押え
６  当て板
７  バンドナイフ
８  ガイド板
９  取出しコンベヤ
１０  支持軸
Ｍ  食肉
ｍ  スライス肉片
矢印Ａ  刃物が食肉を切削していくときの食肉の押し付けられる方向
Ｂ  仮想切断面
矢印Ｃ  肉載せ台の斜め上下移動方向
矢印Ｄ  送出しコンベヤの揺動方向
矢印Ｅ  肉載せ台の揺動方向
α  載置面と受刃体の先端面とがなす角度
【図１】
2008161958.tif 000003
【図２】
2008161958.tif 000004
【図３】
2008161958.tif 000005
【図４】
2008161958.tif 000006